(57)【要約】      （修正有）【課題】傘布を巻き留める操作をし易く、傘布を巻き留めた傘を掛けておく用途にも使える傘の巻き留め具を提供する。【解決手段】傘を閉じて傘布を巻き留めた状態に保つ器具として、閉じている傘に石突きの方から嵌め合わせて傘布を巻き留めるために、閉じている傘の直径よりもやや小径の内径を有するリング状本体と、リング状本体と一体的に設けられ、上記リング状本体に対して上方かつ外方へ突き出すような位置関係を取る掛け止め部とを備えている。リング状本体は閉じたリング状２１であるか又は一部で開いた欠円リング状２２の何れかとし、そのリングの外部又は掛け止め部の一部につながれる、ひも状部材２９を用いて付属させた吸盤を３０一体に備えている。【選択図】図２
0003163316.tif 000002
【実用新案登録請求の範囲】
【請求項１】
傘を閉じて傘布を巻き留めた状態に保つ器具であって、
閉じている傘に石突きの方から嵌め合わせて傘布を巻き留めるために、閉じている傘の直径よりもやや小径の内径を有するリング状本体と、リング状本体と一体的に設けられ、上記リング状本体に対して上方かつ外方へ突き出すような位置関係を取る掛け止め部とから成る傘の巻き留め具。
【請求項２】
リング状本体は閉じたリング状であるか又は一部で開いた欠円リング状の何れかであり、その何れかのリングの外部又は掛け止め部の一部につながれる、ひも状部材を用いて付属させた吸盤を一体に備えている請求項１記載の傘の巻き留め具。
【請求項３】
掛け止め部はリング状部材とは別部材であり、ほぼ？型のフック部の基部に欠円形の嵌合部を有し、リング状本体を上記嵌合部の嵌合相手部としてリング状本体に回転可能に設けられる請求項１記載の傘の巻き留め具。
【考案の詳細な説明】
【技術分野】
【０００１】
本考案は、傘を閉じて傘布を巻き留めた状態に保つ器具に関するものである。
【背景技術】
【０００２】
濡れた傘を閉じて傘布を巻き留めた状態にするには、濡れている傘布を巻きながら付属のバンドを止め付ける必要があるが、傘布を巻くときに手が濡れて不快であり、寒い時期には冷たさにも耐えなければならない。手を濡らすことなく傘布を巻き留めるために、様々なものが提案されている。
【０００３】
例えば、実公昭４８−１６９３１号は、弾力性を持たせた外腕部と内腕部が常時開口部を形成するように位置付けた、「の」の字状の傘の巻取りバンドを提案しており、内腕部を傘に嵌めつまみ部を持って傘を回しながら引き上げるように使用する。この構造の場合つまみ部が小さいので引く操作をし難く、また、細い傘には外腕部が使われず、太い傘の場合には内腕部がきつく傘布を擦るという問題がある。
【０００４】
特開２００１−９５６１２号は、防水性のある大小２個のリングを紐でつないだ器具を開示している。この場合、必ず２個のリングが付いて回り、また、閉じたリングであるからフックとして使用することもできないため、常に傘に付随しているにも拘らず、巻き留め以外には役に立たないという不合理がある。これは、前記の考案のものも同様である。
【０００５】
【特許文献１】実公昭４８−１６９３１号
【特許文献２】特開２００１−９５６１２号
【考案の開示】
【考案が解決しようとする課題】
【０００６】
本考案は前記の点に着目してなされたもので、その課題は、傘布を巻き留める操作をし易く、傘布を巻き留めた傘を掛けておく用途にも使える傘の巻き留め具を提供することである。また、本考案の他の課題は、吸盤を一体として備えることで、巻き留め具として使用しないときに、傘自体を任意の場所に支えておけるようにすることである。
【課題を解決するための手段】
【０００７】
前記の課題を解決するため、本考案は、傘を閉じて傘布を巻き留めた状態に保つ器具として、閉じている傘に石突きの方から嵌め合わせて傘布を巻き留めるために、閉じている傘の直径よりもやや小径の内径を有するリング状本体と、リング状本体と一体的に設けられ、上記リング状本体に対して上方かつ外方へ突き出すような位置関係を取る掛け止め部とを具備して構成するという手段を講じたものである。
【０００８】
本考案の傘の巻き留め具は、使用後に閉じた（すぼめた）傘に石突きの方から嵌め合わせてその傘布を巻き留めるもので、そのために、閉じている傘の直径よりもやや小径の内径を有するリング状本体を具備している。閉じている傘の直径にも大小の差があるので、その直径の差に合わせて大小数種類を用意することが望ましい。なお、長い傘では石突に近い方が細く、柄に近い方は太いので、巻き留め具の止め位置を変えることで、大小の差に対応することも可能である。
【０００９】
また、リング状本体は閉じたリング状であるか又は一部で開いた欠円リング状の何れでも良い。このため、閉じたリング状のものについては傘の大小に合わせて数種を用意し、欠円リング状の場合には弾性変形で拡大可能であるから、サイズを減らすこともできる。その何れかのリングの外部又は掛け止め部の一部には、ひも状部材を用いてつながれた吸盤を一体に備えるものとする。
【００１０】
上記リング状本体に対して上方かつ外方へ突き出すような位置関係を取る掛け止め部をリング状本体と一体的に設ける。上記掛け止め部は、傘布を巻き留めた傘又は傘布を巻き留めていない傘を掛けて置く機能を発揮する。上記の一体的には、リング状本体とともに成形された一体構造のものと、リング状本体とは別体として形成され組み合わせて一体化したものを含む。
【００１１】
上記の掛け止め部の内、リング状部材とは別部材である構造のものについて、ほぼ？型のフック部の基部に欠円形の嵌合部を有し、リング状本体を上記嵌合部の嵌合相手部としてリング状本体に回転可能に設けることができる。この掛け止め部は、傘に本案巻き留め具を装着し、何かに掛ける用途に用いるときに、リング状本体に対して上方かつ外方へ突き出すような位置関係を取る。
【考案の効果】
【００１２】
本考案は以上のように構成されかつ作用するものであるから、リング状本体に対して上方かつ外方へ突き出した掛け止め部を有するので傘布を巻き留める操作をし易く、また、傘布を巻き留めた傘又は傘布を巻き留めていない傘を掛けて置く用途にも使えるという効果を奏するものである。また、本考案によれば、吸盤を一体として備えることで、吸盤をテーブルや壁面等の吸着させることが可能であり、掛け止め部を掛ける相手がない場所でも、傘自体を支えて置くことができるという効果を奏する。
【考案を実施するための最良の形態】
【００１３】
以下図示の実施形態を参照して、本考案をより詳細に説明する。図１は、本考案に係る傘の巻き留め具１０の例１を示すもので、符号１１はリング状本体を示す。例１のリング状本体１１は、傘１５の直径よりもやや小径の内径を有する、閉じたリング状に形成されている。上記リング状本体１１には、掛け止め部１２を一体構造部分として設けており、傘に本案巻き留め具１０を装着し、何かに掛ける用途に用いるとき、それは水平に配置した場合でもほぼ同様であるが、その配置におけるリングの設置箇所から上方かつ外方へ突き出す位置関係を取っている。掛け止め部１２は、傘１５の柄などに嵌め付けられる大きさを有することが望ましい（図３参照）。
【００１４】
なお、上方或いは外方などの位置に関する説明は傘１５を立てた状態を基準として記述しており、その状態では傘の中軸（心棒）１３は垂直になる。また、傘１５に嵌める巻き留め具１０のリングは水平になる。傘１５は立てて持つか、或いは吊り下げるかが標準の姿勢であるので、便宜上、中軸（心棒）が垂直の場合を基準にしている。
【００１５】
図示の例１におけるリング状本体１１は一様な太さの円形リングから成り、その上部に一か所の掛け止め部１２が、円形リングの中心から見た場合には垂直に、側面からみた場合には上方かつ外方へ突き出すように設けられている。例１の巻き留め具１０は、比較的軟質のプラスチックを用いて、全体が型成形され一体構造になっている。例１の傘の巻き留め具１０は閉じたリングから成るので、リングの内径の異なるものを用意して傘１５の大小（太い細い）に対応する。
【００１６】
このような構成を有する例１の傘の巻き留め具１０を使用するには、図１Ｂに鎖線で示したようにまず、傘１５を閉じ、この状態において、指先で掛け止め部１２を摘み持ち、巻き留め具１０を傘の石突き１４の方から嵌め合わせる。次いで、掛け止め部１２を摘み持ったまま傘を回しながら、巻き留め具１０を適当な位置まで引き上げるようにすることで、図１Ｂに実線で示すように傘布を巻き留めるものである。
【００１７】
図２は、本考案に係る例１の傘の巻き留め具２０を示しており、２１は閉じたリング状を有するリング状本体、２２は開いたリング状を有するリング状本体であって、どちらのリング状本体２１、２２も傘１５の直径よりもやや小径の内径を有している。２３は欠円部を示す。例２におけるリング状本体２１、２２も一様な太さの円形リングから成っていて良い。また、上記リング状本体２１、２２には、掛け止め部２４が後述するように一体的に設けられている。
【００１８】
例２の掛け止め部２４はリング状本体２１、２２とは別部材であり、ほぼ？型のフック部２５とその基部に設けた欠円形の嵌合部２６を有している。この掛け止め部２４はリング状本体２１、２２を上記嵌合部２６の嵌合相手部２７として、リング状本体２１、２２に回転可能に設けられている。つまり、嵌合部２６は軸受を構成している。
【００１９】
嵌合部２６の嵌合相手部２７として、閉じたリング状本体２１についてはそのリング部分自体を利用している。よって、掛け止め部２４はリングの何処にでも移動可能である。しかし、欠円部２３を有するリング状本体２２については、嵌合範囲を規定する一対のストッパー２８、２８を欠円部２３の１８０度反対側に設け、移動を防止している。
【００２０】
例２の巻き留め具２０は、掛け止め部２２の一部につながれる、ひも状部材２９を用いて付属させた吸盤３０を一体に備えている。吸盤３０はリング状本体２１、２２の外部にひも状部材を用いて取り付けても良い。なお、ひも状部材２９は、吸盤３０を巻き留め具２０に結び付けるものであれば、一般にストラップと呼ぶものや、或いは、伸縮性を有するものなどを使用することができる。例２の各部品２１、２２、２４はプラスチックを用いて型成形され、それぞれ組み合わせて巻き留め具２０を構成する。
【００２１】
このような構成を有する例２の傘の巻き留め具２０を使用する場合も、巻き留めの方法は例１の傘の巻き留め具１０と同様である。すなわち、傘１５を閉じ、指先で掛け止め部１２を摘み持った巻き留め具２０を傘の石突き１４の方から嵌め合わせ、次いで、巻き留め具１０を摘み持ったまま傘を回しながら、適当な位置まで引き上げるようにする。
【００２２】
本考案の例２では、傘布を巻き留め状態にした後、傘１５を任意の場所に立てかけるなどの支え方が可能になる。吸盤３０を一体として備えていることで、吸盤３０をテーブルや壁面等に吸着させることが可能であるので、掛け止め部２４を掛ける相手がない場所であっても傘１５を支えて置くことができる。また、フック部２５又はリング状本体２１、２２のどれかを傘１５の柄に嵌めるようにした場合でも、残りのリング状本体又はフック部により傘１５を任意の場所に配置することができる。
【図面の簡単な説明】
【００２３】
【図１】本考案に係る傘の巻き留め具の例１を示すもので、Ａは拡大斜視図、Ｂは使用状態を説明する斜視図である。
【図２】同じく本考案の例２を分解して示す斜視図である。
【図３】同じく例２の使用状態を示す斜視図である。
【符号の説明】
【００２４】
１０、２０  巻き留め具
１１、２１、２２  リング状本体
１２  掛け止め部
１３  中軸
１４  石突き
１５  傘
２３  欠円部
２４  掛け止め部
２５  フック部
２６  嵌合部
２７  嵌合相手部
２８  ストッパー
２９  ひも状部材
３０  吸盤
【図１】
0003163316.tif 000003
【図２】
0003163316.tif 000004
【図３】
0003163316.tif 000005